(57)【特許請求の範囲】
【請求項１】
長手方向に連続して延設された対向する一対の親桁と、
前記一対の親桁間に架設され、ケーブルを支持する子桁と、
前記子桁を載置した状態で前記親桁に長手方向に連続して一体に設けられ、枠状に形成されるとともに下方に臨む開口を有し、内部に電気機器用配線を収容する、または、電気機器に給電する導体が内装され、電気機器を取付ける取付部が形成されたダクト部とを備えたことを特徴とするケーブルラック。
【請求項２】
前記ダクト部の開口は、蓋体によって閉塞可能であることを特徴とする請求項１に記載のケーブルラック。
【発明の詳細な説明】
【０００１】
【発明の属する技術分野】
本発明は、メイン電源を供給するケーブルを支持するとともに、電気機器に給電するダクト部を備えたケーブルラックに関するものである。
【０００２】
【従来の技術】
従来、工場や駅の天井等には、メイン電源を供給するケーブルを配線経路に沿って支持するケーブルラックが設置されている。従来のこの種のケーブルラックを図１１に示す。
図において、ケーブルラック１は対向する一対の親桁２とこの親桁２に架設された子桁３とを備えている。前記親桁２は隣合う親桁２とは連結具４に取付ボルト５を取付けることによって長手方向に連結されている。前記親桁２の上部に形成されたシュータ６はケーブル１１を引込むために使用される図示しない布設具であるシャトルが挿通され、これを案内するものである。
【０００３】
【発明が解決しようとする課題】
しかし、この種のケーブルラックは、専らメイン電源を供給するケーブルの支持のみに使用されている。
一方、照明器具、電源コンセント、警報器、保安器等の電気機器は、別途専用の吊り金具やレースウェイ等のダクトによって取付けられているのが現状である。
このため、これらの電気機器を取付けるときは、その都度専用の取付具を用意する必要があった。
また、これらの電気機器に給電するための配線も電気機器を設置する都度行なわれるので、配線が雑然とし易く、見栄えが良くなかった。
【０００４】
そこで、本発明は、ケーブルを支持するとともに、電気機器に整然と給電することができ、また、簡単に電気機器を取付けることができるケーブルラックの提供を課題とするものである。
【０００５】
【課題を解決するための手段】
請求項１の発明にかかるケーブルラックは、長手方向に連続して延設された対向する一対の親桁と、
前記一対の親桁間に架設され、ケーブルを支持する子桁と、
前記子桁を載置した状態で前記親桁に長手方向に連続して一体に設けられ、枠状に形成されるとともに下方に臨む開口を有し、内部に電気機器用配線を収容する、または、電気機器に給電する導体が内装され、電気機器を取付ける取付部が形成されたダクト部とを備えたことを特徴とするものである。
【０００６】
請求項２の発明にかかるケーブルラックは、請求項１に記載の発明において、ダクト部の開口は、蓋体によって閉塞可能であることを特徴とするものである。
【０００７】
【発明の実施の形態】
以下、本発明の実施例を図１乃至図４に基づいて説明する。
図において、ケーブルラック１は対向する一対の親桁２とこの親桁２に架設された子桁３とを備えている。前記親桁２は隣合う親桁２とは連結具４に取付ボルト５を取付けることによって長手方向に連結されている。前記親桁２の上部に形成されたシュータ６は、ケーブル１１を引込むために使用される図示しない布設具であるシャトルが挿通され、これを案内するものである。
【０００８】
また、前記親桁２の下部には照明器具、電源コンセント等の電気機器に給電するための電気機器用配線１２を内部に収容するダクト部７が一体に設けられている。前記ダクト部７は四角枠状に形成され、底面部には長手方向に一定巾の開口が形成され、更に、前記開口には左右一対の対向する係止フランジ７ｃが突設されている。そして、この係止フランジ７ｃに、埃、水滴の侵入を防止する所定長さの蓋体８が着脱自在に取付けられている。前記蓋体８は金属製または合成樹脂製の板材で形成され、弾性的に取付けられている。
【０００９】
なお、前記ダクト部７は、図２に示すような、長さ方向に所定間隔毎に取付けられたケーブルクリップ１０を使用することにより、このケーブルクリップ１０で電気機器用配線１２を支持、収容するものとすれば、必ずしも底面部の開口には蓋体８を取付けることは要しない。前記ケーブルクリップ１０を使用して電気機器用配線１２をダクト部７内に収容するには、前記電気機器用配線１２をケーブルクリップ１０上に載置した状態で、このケーブルクリップ１０の長孔１０ａにドライバーを差込み、下方からダクト部７内にケーブルクリップ１０を挿入した後、ドライバーを水平方向に回動させて長い方の両端部を前記ダクト部７の係止フランジ７ｃに係止し、保持させることによって行なう。
【００１０】
また、ダクト部７は、図３に示すように、底板部７ａを形成し、この底板部７ａで電気機器用配線１２を支持することもできる。この底板部７ａにはノック孔７ｂが設けられており、これを打抜くことによって任意の位置から電気機器用配線１２を外部に引き出し、電気機器に接続することができる。但し、電気機器用配線１２を下方に引き出すための孔は、ノック孔７ｂである必要はなく、予め、穿設した貫通孔であってもよい。或いは、底板部７ａには全く孔を形成せず、電気機器用配線１２の引き出しが必要になったときに、引き出し用の孔を穿設するようにしてもよい。
【００１１】
なお、前記シュータ６及びダクト部７を有する親桁はアルミニウム材、合成樹脂材等を使用して押出成形により簡単に形成することができる。但し、前記ダクト部７は四角枠状に限られるものではなく、また、一体成形ではなく、別体とし、これをねじ等を使用して取付け、親桁２と一体化したものとしても構わない。
【００１２】
次に、上記のように構成された本実施例のケーブルラックへのケーブルの布設について説明する。
まず、ケーブルラック１にメイン電源を供給するケーブル１１を布設するには
、図示しないが、シュータ６内への押込み可能な剛性を有するロープを接続したシャトルを前記シュータ６の一端側からその内部に挿入し、他端側まで挿通する
。次いで、他端側でケーブル１１の先端と前記剛性を有するロープとを連結し、前記シュータ６内でシャトルを逆方向に引き戻せば、それに伴って、ケーブル１１が子桁３上に載置、布設される。以下、複数のケーブル１１を引き込む場合には、この操作を繰返せばよい。但し、以上は、引込み方法の一例を示したに過ぎず、シュータ６を使用する方法としては、これに限られない。例えば、ケーブル１１が軽量であれば、最初から、ケーブル１１の先端とシャトルとを前記剛性を有するロープで連結し、前記シャトルをシュータ６内に挿通することにより、ケーブル１１を子桁３上に載置、布設させることもできる。
また、親桁２にはシュータ６を形成することなく、直接ケーブル１１を持運んで子桁３上に載置し、引込むこともできる。
【００１３】
次に、ダクト部７の作用等について説明する。
このダクト部７は電気機器に給電するための電気機器用配線１２を収容するものであり、ダクト部７の一端側から電気機器用配線１２を挿通してダクト部７内に収容することができる。
電気機器用配線１２を電気機器に接続するには、所定の蓋体８を取外し、電気機器用配線１２をダクト部７外に引き出して電気機器に接続すればよい。
本実施例のダクト部７はケーブルラック１に一体化されているので、別途に電気機器用配線１２の配線経路を形成しなくてもよく、このケーブルラック１を利用することによって電気機器用配線１２は整然と配線される。
【００１４】
ところで、上記実施例では、ダクト部７は親桁２の下部に設けているが、これに限られるものではなく、図２及び図３に示すように、側部に設けてもよい。また、ダクト部７は、片側１個に限らず、図４のように、上下２段構造としてもよく、その数は任意に設定できる。図４において、各ダクト部７に開口が形成され、それぞれに電気機器用配線１２を取出すための蓋体８が取付けられている。この図４に示す場合は、上下２段のダクト部７は親桁２をも形成する。
更に、ダクト部７は両側の親桁２に設けているが、片側の親桁２のみに設けてもよい。
【００１５】
このように、本実施例のケーブルラックは、ケーブル１１を支持するケーブル載置部としての子桁３と、長手方向に連続して延設され、前記子桁３を保持する保持部としての親桁２とを備えるとともに、内部に電気機器用配線１２を収容するダクト部７を、前記親桁２に長手方向に連続して一体に設けたものである。
【００１６】
したがって、ダクト部７はケーブルラック１に一体化されているので、別途に電気機器用配線１２の配線経路を形成することなく、ケーブルラック１を利用して電気機器用配線１２を整然と配線することができる。また、電気機器に近い位置においてダクト部７から電気機器用配線１２を引き出すことができるため、電気機器への接続を簡単に行なうことができる。
【００１７】
次に、上記実施例においては、ダクト部７内への電気機器用配線１２の収容について説明したが、本実施例のケーブルラック１は、電気機器を取付けることもでき、これを図５及び図６に示す。
図５は、ケーブルラック１のダクト部７に照明器具２１を直接取付ける場合を示す。前記ケーブルラック１のダクト部７は底面部を有しない四角枠の形状に形成されているとともに、底面部には電気機器を取付けるための取付部となる左右一対の係止フランジ７ｃが一体に対向して突設されている。このケーブルラック１のダクト部７に照明器具２１を取付けるには、中央部にボルトが突設され、周囲の端面に係止フランジ７ｃの板厚より僅かに大きい開口巾を有する溝２１ｂが刻設された矩形板状の取付ボルト２１ａを、前記ダクト部７の底面部の開口から挿入した後、この取付ボルト２１ａに設けられた長孔２１ｃにドライバーを差し込んで水平方向に９０度回動させることにより、長い方の両端部を前記係止フランジ７ｃに係止させる。次に、照明器具２１に形成された取付孔を前記取付ボルト２１ａのねじ部に嵌通した後、座金２１ｄを取付け、蝶ナット２１ｅを前記取付ボルト２１ａのねじ部に螺合することにより、照明器具２１をダクト部７の下面に取付けることができる。なお、電気機器用配線１２は、図２に示す場合と同様に、前記取付ボルト２１ａ上に載置してダクト部７内に通線されており、ダクト部７の底面部の開口から前記照明器具２１と結線することができる。
【００１８】
図６は、ダクト部７に配線用ボックス２２を直接取付ける場合を示す。このダクト部７に配線用ボックス２２を取付けるには、まず、図５に示す取付ボルト２１ａとねじ部を除いてほぼ同様に形成された取付ナット２２ａを同様の操作でダクト部７の係止フランジ７ｃに取付け、次いで、前記取付ナット２２ａと取付ボルト２２ｂとで配線用ボックス２２の取付フランジ２２ｃを挟持して取付けることができる。
【００１９】
この実施例の場合には、ダクト部７に電気機器を直接取付けることができるので、従来のように、別途に、吊り金具やレースウェイ等のダクトを使用する必要がない。したがって、ダクト部７内に電気機器用配線１２を収容できるとともに、特に、電気機器を簡単にかつ整然と取付けることができる。なお、このダクト部７の底面部に、図１のダクト部７と同様にして、蓋体８を係止フランジ７ｃに係止させて取付けてもよく、この場合は、電気機器の取付箇所における蓋体８を取外し、または、所要の干渉部分を切断、除去して、取付ければよい。なお、前述の図１乃至図４に示したケーブルラック１のダクト部７は、内部に電気機器用配線１２を収容したものを示しているが、この図１乃至図４に示すダクト部７においても、その係止フランジ７ｃを使用して各種の電気機器を取付けることができる。
【００２０】
電気機器として電源コンセントをダクト部７に取付けた場合は、図７に示すように、前記電源コンセント２３にコード２４のプラグ２５を差込み、空調機器等の電気製品２６に給電することができる。
【００２１】
次に、本発明の更に別の実施例のケーブルラックを図８及び図９に示す。
図８において、ケーブルラック１のダクト部７はその内部に形成された左右一対の内壁突起部７ｄに導体９が内装されている。また、ダクト部７の底面部の開口には、上記各実施例と同様に、電気機器の取付部としての係止フランジ７ｃが突設されている。
この実施例のケーブルラック１においては、電気機器の接続端子を直接ダクト部７の導体９に接続することができるため、コードは不要である。したがって、接続作業を楽に行なうことができるとともに、電気機器を取付けた状態の見栄えがよい。
【００２２】
図９は照明器具２７を取付けた状態を示す。
なお、導体９は左右一対設けているが、複数段に内装したものとしてもよい。
【００２３】
ところで、上記実施例では、ケーブルラック１は対向する一対の親桁２の間にケーブル１１を支持する子桁３を架設し、親桁２にダクト部７を設けたものを示しているが、本発明を実施する場合には、ケーブルラック１はこれに限定されるものではない。例えば、ケーブルラック１は、図１０に示すように、中空四角柱状の枠体３１を保持部とし、この枠体３１に、ケーブル１６を載置するケーブル載置部としての角パイプ３２を貫設し、前記枠体３１自体が電気機器用配線１２を収容するダクト部７をも兼ねたものであってもよい。なお、この図１０に示す場合においても、ダクト部７には係止フランジ７ｃが形成されており、電気機器を取付けることもできる。
【００２４】
或いは、ケーブルラック１は、板材をコ字状に折曲して上方に開口した樋形状のものであってもよい。この場合、左右両側の縦壁部が請求項の保持部に、底壁部が請求項のケーブル載置部に相当する。
【００２５】
【発明の効果】
以上のように、請求項１の発明のケーブルラックは、長手方向に連続して延設された対向する一対の親桁と、前記一対の親桁間に架設され、ケーブルを支持する子桁とを備え、枠状に形成されるとともに下方に臨む開口を有し、内部に電気機器用配線を収容する、または、電気機器に給電する導体が内装されたダクト部を、前記子桁を載置した状態で前記親桁の長手方向に連続して一体に設けたものであるため、別途に、電気機器用配線の配線経路を形成することなく、ケーブルラックを利用して電気機器用配線を整然と配線することができる。又、電気機器に近い位置においてダクト部から電気機器用配線を引き出すことができるため、電気機器への接続作業を簡単に行うことができる。更に、ダクト部に電気機器を直接取付けることができるので、従来のように、別途、吊り金具やレースウェイ等のダクトを使用する必要がなく、ケーブルラックに電気機器を簡単に整然と取り付けることができる。
【００２６】
請求項２の発明のケーブルラックは、前述の請求項１の発明の作用効果を奏することができる上に、ダクト部の開口が蓋体によって開閉可能であるため、電気機器用配線の取出のための開口から埃、水滴等が侵入する事態を防止することができる。
【図面の簡単な説明】
【図１】  本発明の実施例のケーブルラックを示す断面図である。
【図２】  図１のケーブルラックの変形例を示す要部斜視図である。
【図３】  図１のケーブルラックの別の変形例を示す要部斜視図である。
【図４】  本発明の別の実施例のケーブルラックを示す断面図である。
【図５】  本発明の実施例のケーブルラックに照明器具を取付ける状態を示す要部斜視図である。
【図６】  本発明の実施例のケーブルラックに配線用ボックスを取付ける状態を示す要部斜視図である。
【図７】  本発明の別の実施例のケーブルラックに電源コンセントを取付けた状態を示す正面図である。
【図８】  本発明の更に別の実施例のケーブルラックを示す要部断面図である。
【図９】  図８のケーブルラックに照明器具を取付けた状態を示す要部斜視図である。
【図１０】  本発明の更に別の実施例のケーブルラックを示す斜視図である。
【図１１】  従来のケーブルラックを示す正面図である。
【符号の説明】
１    ケーブルラック
２    親桁
３    子桁
７    ダクト部
７ｃ  係止フランジ
８    蓋体
９    導体
１１  ケーブル
１２  電気機器用配線
２１、２７  照明器具
２２  配線用ボックス
２３  電源コンセント
２６  電気製品
３１  枠体
３２  角パイプ
【図１】
0003887793.tif 000002
【図２】
0003887793.tif 000003
【図３】
0003887793.tif 000004
【図４】
0003887793.tif 000005
【図５】
0003887793.tif 000006
【図６】
0003887793.tif 000007
【図７】
0003887793.tif 000008
【図８】
0003887793.tif 000009
【図９】
0003887793.tif 000010
【図１０】
0003887793.tif 000011
【図１１】
0003887793.tif 000012